(57)【特許請求の範囲】
【請求項１】
モータと、
前記モータの駆動で回転する第１のピニオンが噛合する噛合面を有しており、前記モータの動作に伴い所定の第１方向へスライドする移動ラックと、
前記移動ラックとともに前記第１方向へ移動可能であるとともに、前記第１方向とは直交する第２方向を軸として回転可能に設置された円柱状体で、その外周面にネジ溝が刻設されてなるリードスクリューと、
前記リードスクリューの一端に嵌着された第２のピニオンと、
前記第２のピニオンが噛合する噛合面を有しており、前記リードスクリューの前記第１方向への移動に伴い前記リードスクリューを回転させるための固定ラックと、
前記リードスクリューに螺合しており、前記リードスクリューの回転に伴い前記第２方向へ移動する可動体とからなる駆動機構と、
前記可動体に固定された遊技部材とを備えており、
前記モータの回転に伴う前記移動ラックの前記第１方向への移動、及び前記可動体の前記第２方向への移動によって、前記遊技部材を前記第１方向と前記第２方向とを組み合わせた第３方向へ移動可能としたことを特徴とする遊技機。
【請求項２】
所定の図柄を変動表示可能な図柄表示部を備えているとともに、該図柄表示部を囲むようにセンター部材が設置されており、前記遊技部材及び前記駆動機構が前記センター部材の一部を構成することを特徴とする請求項１に記載の遊技機。
【請求項３】
前記移動ラックを挟んで前記第１のピニオンと略対向する位置に案内手段を設けたことを特徴とする請求項１又は２に記載の遊技機。
【発明の詳細な説明】
【技術分野】
【０００１】
本発明は、たとえばパチンコ機やスロットマシーン等といった遊技機に関するものである。
【背景技術】
【０００２】
従来、遊技機の一例であるパチンコ機において、遊技領域内に形成された図柄表示部を囲むように設置されるセンター部材に、モータの駆動によって退避位置と進出位置との間を移動可能な遊技部材を備え、たとえばリーチ演出中等において遊技部材を退避位置から図柄表示部の前方となる進出位置まで移動させるとしたものが考案されている。たとえば、特許文献１に記載のパチンコ機では、遊技部材を上下方向へ移動可能としており、特許文献２に記載のパチンコ機では、遊技部材を斜め方向へ移動可能としている。
【先行技術文献】
【特許文献】
【０００３】
【特許文献１】特開２００９−０８２４５６号公報
【特許文献２】特開２００７−２５２８３０号公報
【発明の概要】
【発明が解決しようとする課題】
【０００４】
しかしながら、上記特許文献１に記載の構成では、遊技部材が上下方向へしか作動しないため、遊技部材の移動領域が限られており、演出効果に乏しいという問題がある。また、該問題を解決するために、遊技部材を上下方向へのみならず左右方向へも移動させるべく、モータを２つ設置する構成も考えられる。しかしながら、そのような構成では、モータのみならず、モータの回転を伝達するギア等も２組必要になるため、駆動機構の設置スペースを広く確保する必要があり、センター部材の大型化、ひいては遊技盤面の設計自由度が乏しくなる、遊技領域が狭くなる等といった問題が生じるおそれがある。
【０００５】
さらに、特許文献２に記載されているように、遊技部材を斜め方向へのみ移動可能とすることで、上下方向と左右方向とを組み合わせた斜め方向へ移動させる構成と似たような動きを１つのモータで実現することができる。しかしながら、一般的に、遊技領域を広く確保する等の理由により、センター部材は図柄表示部の周縁部に存在するような形状とされており、左右方向や上下方向についてはある程度のスペースを確保することができるものの、斜め方向へ大きなスペースを確保しづらい。したがって、特許文献２に記載されているように、遊技部材を斜め方向へのみ移動可能とした場合、遊技部材の移動可能な距離が短く制限されてしまい、やはり演出効果に乏しいという問題がある。
【０００６】
そこで、本発明は、上記問題に鑑みなされたものであって、１つのモータで遊技部材を所定の第１方向と該第１方向と直交する第２方向とへ移動させる、すなわち両方向を組み合わせた第３方向へ移動させることにより、演出効果に富んだ遊技機を提供しようとするものである。
【課題を解決するための手段】
【０００７】
上記目的を達成するために、本発明のうち請求項１に記載の発明は、モータと、前記モータの駆動で回転する第１のピニオンが噛合する噛合面を有しており、前記モータの動作に伴い所定の第１方向へスライドする移動ラックと、前記移動ラックとともに前記第１方向へ移動可能であるとともに、前記第１方向とは直交する第２方向を軸として回転可能に設置された円柱状体で、その外周面にネジ溝が刻設されてなるリードスクリューと、前記リードスクリューの一端に嵌着された第２のピニオンと、前記第２のピニオンが噛合する噛合面を有しており、前記リードスクリューの前記第１方向への移動に伴い前記リードスクリューを回転させるための固定ラックと、前記リードスクリューに螺合しており、前記リードスクリューの回転に伴い前記第２方向へ移動する可動体とからなる駆動機構と、前記可動体に固定された遊技部材とを備えており、前記モータの回転に伴う前記移動ラックの前記第１方向への移動、及び前記可動体の前記第２方向への移動によって、前記遊技部材を前記第１方向と前記第２方向とを組み合わせた第３方向へ移動可能としたことを特徴とする。
請求項２に記載の発明は、請求項１に記載の発明において、所定の図柄を変動表示可能な図柄表示部を備えているとともに、該図柄表示部を囲むようにセンター部材が設置されており、前記遊技部材及び前記駆動機構が前記センター部材の一部を構成することを特徴とする。
請求項３に記載の発明は、請求項１又は２に記載の発明において、前記移動ラックを挟んで前記第１のピニオンと略対向する位置に案内手段を設けたことを特徴とする。
【発明の効果】
【０００８】
本発明によれば、モータの回転に伴う移動ラックの第１方向への移動、及び可動体の第２方向への移動によって、遊技部材を第１方向と第２方向とを組み合わせた第３方向へ移動可能としている。したがって、従来の遊技機と比較して、遊技部材を広範囲にわたって移動させることができ、従来にない演出を実現することができる。また、遊技部材を第３方向へ移動させるにあたって、モータを１つしか使用していないため、部品点数の削減は勿論のこと、駆動機構の小型化も図ることができ、部品を設置するためのスペースの小型化を図ることができる。
さらに、請求項２に記載の発明によれば、遊技部材及び駆動機構をセンター部材の一部としている。したがって、第１方向及び第２方向を図柄表示部に沿った方向とすることにで、センター部材に第３方向への駆動機構の設置スペース等を設ける必要がなく、センター部材の小型化、ひいてはパチンコ機で言うと遊技盤面の設計自由度が向上する、遊技領域を広く確保することができる等といった効果がある。
加えて、請求項３に記載の発明によれば、移動ラックを挟んで第１のピニオンと略対向する位置に案内手段を設けており、移動ラックを第１のピニオンと案内手段とで挟み込むようにしているため、移動ラックを第１方向へスムーズにスライドさせることができる上、移動ラックがズレてその噛合面と第１のピニオンとの噛合が外れてしまう事態を防止することができる。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】カバー部材の内部を示した説明図である。
【図５】センター部材の装飾用カバー部材を取り外した状態を前面から示した説明図である。
【図６】退避位置にある遊技部材及び駆動機構を前面から示した説明図である。
【図７】退避位置にある遊技部材及び駆動機構を右側から示した説明図である。
【図８】進出位置にある遊技部材及び駆動機構を前面から示した説明図である。
【図９】進出位置にある遊技部材及び駆動機構を右側から示した説明図である。
【発明を実施するための形態】
【００１０】
以下、本発明の一実施形態となるパチンコ機について、図面にもとづき詳細に説明する。
【００１１】
（パチンコ機全体の説明）
図１は、パチンコ機１を前面側から示した説明図である。また、図２は、遊技盤２を前面側から示した説明図である。さらに、図３は、パチンコ機１を後面側から示した説明図であり、図４は、カバー部材４４の内部を示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる「図柄」を表示するための図柄表示部６が設けられている。さらに、図柄表示部６を囲むように後述するセンター部材２５が設置されており、該センター部材２５には後述する遊技部材２６が取り付けられている。加えて、遊技領域１６には、一対の爪片を開閉動作可能に備えたチューリップ式電動役物１７、開閉可能な扉部材を有する大入賞装置１８、風車１９や多数の遊技釘等が設置されている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置４８、及び各制御基板や装置・部材に電源電圧を供給するための電源装置４９等が設置されている。また、４４は、合成樹脂製のカバー部材であって、当該カバー部材４４の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置４７、及び払出装置１２や表示制御装置４７、スピーカ１４やランプ部材１５等の動作を統合的に制御するサブ制御装置２２等が設置されている。尚、４５は、パチンコ機１をトランスに接続するためのプラグであり、４６は、アースである。
【００１５】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。また、「大当たり状態」を生起させるまでの演出（たとえばリーチ演出）時には、遊技部材２６を作動させ、遊技者に「大当たり状態」生起の期待感を抱かせる。
【００１６】
（遊技部材の説明）
ここで、本発明の要部となる遊技部材２６及び該遊技部材２６の駆動機構について、図５〜図９にもとづき詳細に説明する。
図５は、センター部材２５の装飾用カバー部材を取り外した状態を前面から示した説明図である。図６は、退避位置にある遊技部材２６及び駆動機構を前面から示した説明図であり、図７は、退避位置にある遊技部材２６及び駆動機構を右側から示した説明図である。図８は、進出位置にある遊技部材２６及び駆動機構を前面から示した説明図であり、図９は、進出位置にある遊技部材２６及び駆動機構を右側から示した説明図である。尚、遊技部材２６や駆動機構を構成する各部材の前後左右方向については、遊技盤２への取付姿勢を基準として説明する。
【００１７】
センター部材２５は、遊技部材２６等を環状に組み付けてなる本体２５ａの前面側を装飾用カバー部材で覆ったものであって、中央に形成される大開口２７は、図柄表示部６を露出させるための窓部として機能する。また、該センター部材２５の上部、左側部、及び下部には、種々の照明部材２８、２９、３０、３１が設置されており、サブ制御装置２２による制御のもと、図柄表示部６における演出等に関連づけられて種々の態様で発光し、「大当たり状態」生起の期待感を抱かせるようになっている。さらに、センター部材２５の右側部に、遊技部材２６及び該遊技部材２６を作動させるための駆動機構３２が設けられている。
【００１８】
遊技部材２６は、遊技者が前面側から見た際に所定の文字を認識することができるブロック体であって、前面が若干下方を向く傾斜姿勢で後述する可動部３６ｂに取り付けられている。また、該遊技部材２６には、図示しない複数の発光ＬＥＤが設置された発光基板が内蔵されており、サブ制御装置による制御のもと、図柄表示部６における演出や後述する移動に関連づけられて種々の態様で発光可能となっている。
【００１９】
一方、駆動機構３２は、上記遊技部材２６を上下方向（第１方向）と左右方向（第２方向）とを組み合わせた斜め方向（第３方向）へ移動させるためのものであって、モータ２１と、該モータ２１に直結されたモータピニオン３３と、モータピニオン３３に噛合する連結用ピニオン３４と、連結用ピニオン３４が噛合する移動ラック３５と、移動ラック３５に固定された伸縮バー３６と、伸縮バー３６を伸縮させるためのリードスクリュー３７と、リードスクリュー３７の右端部に取り付けられた伸縮用ピニオン３８と、伸縮用ピニオン３８が噛合する固定ラック３９と、移動ラック３５の噛合外れを防止するころ４０、第１支持部材４１、及び第２支持部材４２と、モータ２１や固定ラック３９が固定されるケーシング部材４３とからなる。
【００２０】
モータ２１は、前後方向を軸として回転可能にケーシング部材４３へ固定されており、その軸にモータピニオン３３が取り付けられている。また、モータピニオン３３の近傍には、モータ２１の回転駆動を移動ラック３５へ伝えるための連結用ピニオン３４が、モータ２１の軸と同じ軸方向で回転可能に取り付けられている。さらに、モータピニオン３３及び連結用ピニオン３４の右方には、柱状体の左側面に噛合面３５ａを形成してなる移動ラック３５が上下方向へスライド可能に設置されており、噛合面３５ａと連結用ピニオン３４とが噛合した状態となっている。したがって、モータ２１の回転駆動に伴い、モータピニオン３３及び連結用ピニオン３４が回転すると、移動ラック３５がケーシング部材４３の内部を上下方向へスライドすることになる。尚、モータ２１の回転駆動は、サブ制御装置２２により制御されている。
【００２１】
また、移動ラック３５の上端部には、左右方向へ伸縮可能な伸縮バー３６が固定されている。該伸縮バー３６は、移動ラック３５に固定されている固定部３６ａと、該固定部３６ａとは別体の可動部３６ｂとからなり、該可動部３６ｂの前面に上記遊技部材２６が固定されている。また、伸縮バー３６の後面には、外周面にネジ溝が刻設された円柱状体であるリードスクリュー３７が左右方向を軸として回転可能、且つ、移動ラック３５と共に上下方向へ移動可能に設置されている。そして、該リードスクリュー３７に可動部３６ｂが螺合しており、リードスクリュー３７の回転に伴って可動部３６ｂがリードスクリュー３７に沿って左右方向へ移動することにより、伸縮バー３６全体として伸縮するようになっている。
【００２２】
さらに、リードスクリュー３７の右端部には、伸縮用ピニオン３８が同軸で嵌着されている。加えて、該伸縮用ピニオン３８の後方には、前面に噛合面３９ａを有する固定ラック３９がケーシング部材４３に固着され、その噛合面３９ａに伸縮用ピニオン３８が噛合している。そして、リードスクリュー３７は、移動ラック３５の上下方向へのスライドに伴う自身の上下方向への移動により、伸縮用ピニオン３８を介して回転するようになっている。
【００２３】
一方、移動ラック３５の右側であって、連結用ピニオン３４と左右方向で略対向する位置には、ころ４０が前後方向を軸として回転可能に固定されており、連結用ピニオン３４ところ３０とで移動ラック３５を左右から挟み込むことにより、移動ラック３５の上下方向へのスライドを案内するとともに、移動ラック３５が右方へズレて噛合面３５ａと連結用ピニオン３４との噛合が外れてしまう事態を防止している。
また、移動ラック３５の後方には、移動ラック３５の後面に当接することにより、移動ラック３５を後方から支持するアルミ製の第１支持部材４１が移動ラック３５の移動範囲にわたって設けられている。さらに、伸縮バー３６の後方、特に固定部３６ａの後方には、固定部３６ａの後面に当接することにより、固定部３６ａを後方から支持するアルミ製の第２支持部材４２が固定部３６ａの移動範囲にわたって設けられている。
【００２４】
以上のような遊技部材２６及び駆動機構３２では、通常、移動ラック３５は上限位置にあり、且つ、伸縮バー３６は最も縮んだ状態となっており、遊技部材２６は、センター部材２５の本体２５ａの前方に重なる（すなわち、図柄表示部６の前方にはない）退出位置に位置している。当該状態から、モータ２１が所定方向へ回転すると、移動ラック３５が徐々に下方へスライドするとともに、該移動ラック３５の下降に伴ってリードスクリュー３７が回転し、伸縮バー３６が徐々に伸張する（可動部３６ｂが徐々に左方へ移動する）。したがって、可動部３６ｂに取り付けられた遊技部材２６は、可動部３６ｂと共に下降しながら左方へ、すなわちセンター部材２５の右上隅部から左斜め下方向へ移動することになる。そして、移動ラック３５が下限位置に達すると、伸縮バー３６が最も伸びた状態となり、遊技部材２６は図柄表示部６の前方位置、すなわち進出位置に位置する。尚、遊技部材２６が再び退出位置へ戻るにあたっては、モータ２１を反所定方向へ回転させればよい。すると、移動ラック３５の上昇に伴ってリードスクリュー３７が回転し、可動部３６ｂが右方へ移動して伸縮バー３６が短縮される。したがって、遊技部材２６は、可動部３６ｂと共に上昇しながら右方へ、すなわちセンター部材２５の右上隅部へ向かって右斜め上方向へ移動し、進出位置から退出位置へ戻ることになる。
【００２５】
（本実施形態による効果）
上述したような遊技部材２６及び駆動機構３２を有するパチンコ機１によれば、モータ２１の回転により上下方向へスライドする移動ラック３５と、該移動ラック３５と共に上下方向へ移動可能であり、且つ、自身の移動により左右方向を軸として回転可能とされたリードスクリュー３７と、リードスクリュー３７に螺合されており、リードスクリュー３７の回転に伴って左右方向へ移動する可動部３６ｂを有する伸縮バー３６とを駆動機構３２として備えており、可動部３６ｂに遊技部材２６を固定することで、遊技部材２６を上下方向と左右方向とを組み合わせた斜め方向へ移動可能としている。したがって、上下方向にしか遊技部材が移動しない従来の遊技機と比較して、遊技部材２６を広範囲にわたって移動させることができ、従来にない演出を実現することができる。
また、遊技部材２６を斜め方向へ移動させるにあたって、モータ２１を１つしか使用していないため、部品点数の削減は勿論のこと、駆動機構３２の設置スペースが狭くてすみ、センター部材２５の小型化、ひいては遊技盤２面の設計自由度が向上する、遊技領域１６を広く確保することができる等といった効果がある。
【００２６】
さらに、上下方向への移動と左右方向への移動とを組み合わせることにより、遊技部材２６の斜め方向への移動を実現しているため、たとえば移動ラック３５やリードスクリュー３７等を斜め方向へ配設する必要がない。したがって、たとえば移動ラックを斜め方向へ移動させるような従来の機構と比較して、センター部材２５に斜め方向への突出部分を設けたりする必要がなく、センター部材２５の小型化を図った上で、より広範囲にわたって遊技部材２６を移動させることができるという効果がある。
さらにまた、移動ラック３５を挟んで連結用ピニオン３４に略対向する位置にころ４０を設けており、移動ラック３５を連結用ピニオン３４ところ４０とで挟み込むようにしているため、移動ラック３５を上下方向へスムーズにスライドさせることができる上、移動ラック３５が右方へズレて噛合面３５ａと連結用ピニオン３４との噛合が外れてしまう事態を防止することができる。
加えて、移動ラック３５と伸縮バー３６との後方に第１支持部材４１若しくは第２支持部材４２を夫々当接させているとともに、各支持部材４１、４２を移動ラック３５若しくは伸縮バー３６の移動範囲にわたって設けているため、前後方向へズレることなく移動ラック３５や伸縮バー３６を上下方向へスライドさせることができる。したがって、そのような前後方向へのズレによる噛合面３５ａと連結用ピニオン３４との噛合外れや噛合面３９ａと伸縮用ピニオン３８との噛合外れを防止することができる。
【００２７】
（本発明の変更例）
なお、本発明の遊技機に係る構成は、上記実施形態に何ら限定されるものではなく、遊技機の全体的な構成は勿論のこと、遊技部材や駆動機構の設置位置、遊技部材を移動させるための構成等についても、本発明の趣旨を逸脱しない範囲で必要に応じて適宜変更可能である。
【００２８】
たとえば、上記実施形態では、遊技部材の退出位置をセンター部材の右上隅部としているが、センター部材の左下隅部を退出位置とし、移動ラック及びリードスクリューの動作により右斜め上方へ移動して進出位置へと移動するような構成としてもよく、退出位置の位置については適宜変更可能であるし、移動ラックを左右方向へスライドさせるとともにリードスクリューの回転によって可動体を上下方向へ移動させることで、遊技部材を斜め方向へ移動させるように構成することも可能である。尚、移動ラックのスライド方向は、上下方向若しくは左右方向に限定されることはなく、図柄表示部の形状や遊技機の形状等に応じて適宜変更可能である。
また、進出位置についても同様に適宜変更可能であって、図柄表示部の前方に何ら限定されることはなく、たとえば図柄表示部の側方で常に遊技部材を作動させる、すなわち進出位置に位置している場合でも図柄表示部と前後方向で重ならないように構成しても何ら問題はないし、センター部材とは別に遊技部材及び駆動機構を設けることも可能である。
【００２９】
さらに、モータ２１の回転駆動を移動ラックに伝えるにあたって、いくつのピニオンを介在させるか、どのような直径のピニオンを使用するか等といった事項についても適宜変更可能であるし、第１支持部材や第２支持部材の素材や形状等についても適宜変更可能である。
加えて、上記実施形態では、遊技機の一例であるパチンコ機について説明しているが、斜め方向へ移動する遊技部材をスロットマシーン等の他の遊技機に適用しても何ら問題はない。
【符号の説明】
【００３０】
１・・パチンコ機、２・・遊技盤、６・・図柄表示部、１６・・遊技領域、２１・・モータ、２５・・センター部材、２５ａ・・本体、２６・・遊技部材、３２・・駆動機構、３３・・モータピニオン（第１のピニオン）、３４・・連結用ピニオン（第１のピニオン）、３５・・移動ラック、３５ａ、３９ａ・・噛合面、３６・・伸縮バー、３６ａ・・固定部、３６ｂ・・可動部（可動体）、３７・・リードスクリュー、３８・・伸縮用ピニオン（第２のピニオン）、３９・・固定ラック、４０・・ころ（案内手段）、４１・・第１支持部材、４２・・第２支持部材。
【図１】
0005569325.tif 000002
【図２】
0005569325.tif 000003
【図３】
0005569325.tif 000004
【図４】
0005569325.tif 000005
【図５】
0005569325.tif 000006
【図６】
0005569325.tif 000007
【図７】
0005569325.tif 000008
【図８】
0005569325.tif 000009
【図９】
0005569325.tif 000010